(57)【特許請求の範囲】
【請求項１】
少なくとも上面が開口した略箱状とされ遊技盤の裏面に取り付けられて内面側に上方から誘導された遊技球が通過可能な空間を形成するとともに前記内面とは反対の外面に取り付けた部品を前記遊技盤の裏面から離間させて配置する部品取付基台と、
前記遊技盤の裏面に配置され前記内面の上隅部近傍に略当接して前記外面に掛かる押圧力を受け止める基板ケースと、
前記遊技盤の裏面にその裏面に沿ってスライド可能に設けられるとともに、前記基板ケースが着脱可能とされ、且つ、前記スライドにより基板ケースを前記部品取付基台の内面の上隅部近傍に略当接させる位置及びその位置から離脱させて着脱可能とする位置との間で移動させるスライド手段と、
を有することを特徴とする部品取付基台の補強構造。
【請求項２】
前記スライド手段は、前記基板ケースが着脱可能に取り付けられるとともに前記遊技盤の裏面に沿って回動することによるスライド可能とされた取付部材と、前記取付部材に設けられたガイド部と、前記ガイド部に係合して前記取付部材を前記遊技盤の裏面に沿って回動可能にガイドするとともに取付部材を固定及び固定解除する固定部材と、を有することを特徴とする請求項１記載の部品取付基台の補強構造。
【請求項３】
請求項１又は請求項２記載の部品取付基台の補強構造を備えた遊技機。
【発明の詳細な説明】
【０００１】
【発明の属する技術分野】
本発明は部品取付基台の補強構造、及びそれを備えた遊技機に関する。
【０００２】
【従来の技術】
パチンコ機等の遊技機では、遊技盤の裏面に、各種電気部品等を制御する複数の基板が配設されており、図１６に、従来の遊技盤裏面における基板レイアウトが示されている。遊技盤２００は、裏面の中央に略方形のセット板２０２が設けられ、セット板２０２の下部側に、部品取付基台としての回路アダプター２０４を介して主基板２０６が取り付けられている。またセット板２０２の略中央に図柄制御基板２０８が配置され、左側部にランプ制御基板２１０が取り付けられており、さらに遊技盤２００裏面の右上隅に、盤用外部端子板２１２が取り付けられている。
【０００３】
図１７には、上記の回路アダプター・ユニットを分解した状態が示されている。図示のように、回路アダプター２０４は、主基板２０６の取付面となる外面２０４Ａに、主基板２０６の裏面に設けられた開口部が係合するフック２１４、２１５が計３個設けられている。さらに外面２０４Ａには、それらフック２１４、２１５に係合した主基板２０６をロックし固定するためのレバー２１６が右下隅に設けられ、左側端部にストッパー２１８がネジ２２０で取り付けられている。また内面２０４Ｂには、パチンコ機本体側に設けられた電源ブロックからの供給電源を各基板に振り分ける電源中継基板２２２が四隅をネジ２２４によって取り付けられている。そしてこの回路アダプター２０４は、脚部２２６が図示しないネジで遊技盤２００の裏面に取り付けられるようになっており、その取付状態で内側に形成された空間に、集合樋２２８を収容するようになっている。
【０００４】
集合樋２２８は、遊技盤面の各入賞口へと入賞し、セット板２０２に設けられた各入賞口と連通する各球通路を通って誘導された入賞球（遊技球）を、中央側に下降傾斜する底面２２８Ａで受け止め、底面略中央の開口部２３０から下方へ排出する略箱状の構造体であり、遊技盤２００の裏面には、脚部２３２が図示しないネジで取り付けられるようになっている。さらに、外面２２８Ｂに立設された２本のボス２３４が、回路アダプター２０４の内面２０４Ｂに当接してネジ２３６にて固定されるようになっており、これにより、回路アダプター２０４と集合樋２２８とがユニット化され、互いに補強し合う構造となっている。また回路アダプター２０４の外面２２８Ｂには、下端部略中央に設けられた突部２３８に球通路カバー２４０の孔部２４２が嵌め込まれて、ネジ２４４にて固定されるようになっている。
【０００５】
この構成により、回路アダプター２０４の内面２０４Ｂに取り付けられて集合樋２２８との間に配置された電源中継基板２２２は、集合樋２２８の外面２２８Ｂ及び球通路カバー２４０によって、集合樋２２８へと導かれる入賞球から保護されている。
【０００６】
また主基板２０６には、図柄制御基板２０８やランプ制御基板２１０等とケーブルで接続される複数のコネクター２４６が搭載されており、それらコネクター２４６は、各基板に近接するよう、主基板２０６の上端部に配列されている。そのため、コネクター２４６へのケーブル接続作業では、コネクター２４６に掛かる挿入力によって、主基板２０６を介し回路アダプター２０４の上端部側が押圧されることになる。
【０００７】
回路アダプター２０４は、上方から集合樋２２８へと導かれる入賞球の通路確保と、遊技盤２００の下方に配置される電源ブロックの放熱促進等の理由から、上面側が大きく開放されており、したがって、回路アダプター２０４単体では、外面２０４Ａ上部側の剛性を十分に確保することができない構造となっている。しかし、ここでは、回路アダプター２０４と集合樋２２８とのユニット化により、集合樋２２８に支えられた外面２０４Ａが補強されて、上記のコネクター接続作業による変形や破損防止がなされている。
【０００８】
【発明が解決しようとする課題】
ところで、近年のパチンコ機では、打球発射装置を遊技盤の左下に配置して打球を上方に打ち出す、所謂「左打ち」と呼ばれる機種の開発が進められている。この機種の場合、従来機種に設けられていた、遊技盤右下の打球発射装置と、打球発射装置から発射された打球を左斜め上方に案内し遊技盤側へと導くガイドレール等が不要になるため、その遊技盤下部側に生じる空きスペースを利用した遊技領域の拡大化による遊技性向上等が進められており、またそれに伴い、上述の集合樋を省いた構造の簡素化も検討されている。ただしその場合は、主基板へのコネクター接続作業による回路アダプターの変形が問題となるため、何らかの強度アップ策をとる必要がある。
【０００９】
一方、遊技盤の裏面に取り付けられる部品や基板は、遊技盤面の遊技領域に搭載される変動入賞装置等の役物の位置、及びその後方への突出量（奥行き寸法）等の自由度を確保するため、遊技領域（役物搭載領域）に干渉しないようレイアウトし、また形状を工夫して設計することが望ましい。しかし、遊技領域が拡大される上記の新機種では、回路アダプター等の部品を配置できる領域（非遊技領域）が狭められるため、回路アダプター単体で剛性を高めるよう形状変更することが益々困難となる問題がある。
【００１０】
本発明は上記事実を考慮して、遊技盤裏面の限られた領域に取り付けられる回路アダプター等の部品取付基台が押圧力によって変形することを防止する部品取付基台の補強構造、及びそれを備えた遊技機を提供することを課題とする。
【００１１】
【課題を解決するための手段】
請求項１に記載の発明は、少なくとも上面が開口した略箱状とされ遊技盤の裏面に取り付けられて内面側に上方から誘導された遊技球が通過可能な空間を形成するとともに前記内面とは反対の外面に取り付けた部品を前記遊技盤の裏面から離間させて配置する部品取付基台と、前記遊技盤の裏面に配置され前記内面の上隅部近傍に略当接して前記外面に掛かる押圧力を受け止める基板ケースと、前記遊技盤の裏面にその裏面に沿ってスライド可能に設けられるとともに、前記基板ケースが着脱可能とされ、且つ、前記スライドにより基板ケースを前記部品取付基台の内面の上隅部近傍に略当接させる位置及びその位置から離脱させて着脱可能とする位置との間で移動させるスライド手段と、を有することを特徴としている。
【００１２】
請求項１に記載の発明では、遊技盤の裏面に設ける制御基板等の部品を部品取付基台の外面に取り付け、部品取付基台を遊技盤の裏面に取り付けることで、部品は遊技盤の裏面から離間して配置される。また部品取付基台は、少なくとも上面が開口した略箱状であるため、遊技盤裏面への取り付け状態で内面側に空間を形成する。これにより、遊技盤面の各入賞口等に入賞して遊技盤裏面に導かれた入賞球等の遊技球は、遊技盤の裏面を上方から下方へと誘導される際に、上記の部品を配置した区域での通過が可能となる。そしてこの部品取付基台は、内面の上隅部近傍に、上記の制御基板（部品取付基台に取り付けられた部品）とは異なる制御基板等の基板本体を覆う基板ケースが略当接していることで、例えば上記の制御基板のコネクター接続作業等により部品取付基台の外面に掛かる押圧力が基板ケースに受け止められる。
【００１３】
そのため、部品取付基台を遊技盤裏面の限られたスペースに取り付けることにより、部品取付基台単体では剛性が確保できないような場合でも、押圧力に対する部品取付基台の補強が可能となる。
【００１５】
さらにこの構成では、遊技盤の裏面にその裏面に沿ってスライド可能に設けられたスライド手段に基板ケースが着脱可能に取り付けられ、基板ケースは、スライド手段が遊技盤の裏面に沿ってスライドすることにより、部品取付基台の内面上隅部に略当接した位置から離脱可能とされる。これにより、遊技盤から部品取付基台を取り外さなくとも基板ケースのみを容易に着脱することができるようになり、その着脱作業性が良好になる。
【００１６】
請求項２に記載の発明は、請求項１記載の部品取付基台の補強構造において、前記スライド手段は、前記基板ケースが着脱可能に取り付けられるとともに前記遊技盤の裏面に沿って回動することによるスライド可能とされた取付部材と、前記取付部材に設けられたガイド部と、前記ガイド部に係合して前記取付部材を前記遊技盤の裏面に沿って回動可能にガイドするとともに取付部材を固定及び固定解除する固定部材と、を有することを特徴としている。
請求項２に記載の発明では、基板ケースを部品取付基台に略当接した位置と離脱した位置との間でスライドさせるときは、固定部材による取付部材の固定を解除し、取付部材を遊技盤の裏面に沿って回動させることにより行う。このとき、取付部材は、ガイド部に係合した固定部材にガイドされるため、操作性が良好になる。さらに上記の略当接した位置では、固定部材により取付部材を固定することで、支持部品が確実に固定される。またスライド手段は、基板ケースを着脱可能に取り付ける取付部材と、その取付部材をガイドし、且つ、固定及び固定解除する固定部材とで構成することにより、簡単な構造とすることができる。
【００１７】
請求項３に記載の発明は、請求項１又は請求項２記載の部品取付基台の補強構造を備えた遊技機とされる。
【００１８】
【発明の実施の形態】
以下、図面を参照して本発明の実施の形態を説明する。
【００１９】
図１及び図２には、本発明の一実施の形態に係るパチンコ機が示されている。図示のように、パチンコ機１０は外枠１２を備え、外枠１２の前面には、窓部を有する額縁状の内枠１４の一側部が開閉可能に取付けられている。内枠１４の窓部には、ガラス１６をガラスフレーム１８に装着したガラス枠２０の一側部が開閉可能に取付けられており、このガラス枠２０と内枠１４は、内枠１４の他側部に設けられた施錠装置（シリンダ）２２により施錠されるようになっている。
【００２０】
ガラス枠２０の下方位置には、パチンコ機本体内の賞球払出装置から払い出された遊技球（貸球）や賞球を貯留して打球発射装置（図示省略）へと誘導する球皿部２４を備えた一体皿２６が一側部を内枠１４に開閉可能に取付けられている。一体皿２６の前面には、左側下部に灰皿２８が配置され、右側下部には打球発射装置から発射する遊技球の飛距離を調整するための発射ハンドル３０が設けられている。
【００２１】
また内枠１４の窓部には、遊技盤載置台に載せて交換可能とされた遊技盤３２が窓部を塞ぐように設置されている。遊技盤３２は、ベニヤ板３３の表面に樹脂材料で形成されたシート状のセル３４が貼着されて、盤面３２Ａに、外バンド３６及び内バンド３７とレール飾り３８、３９とによって囲まれた略円形状の遊技領域４０が形成されており、セル３４の表面で遊技領域４０と対応する範囲には、背景画像や各種キャラクター画像等を含む装飾画（図示省略）が印刷されている。
【００２２】
遊技領域４０には、特別図柄表示装置４２や大入賞口（変動入賞装置）４４等の役物、始動口４６や入賞口４８、風車５０等の遊技部品と、左右側端部に配置されたサイド飾り５２Ａ、５２Ｂが取り付けられており、最下位置にアウト口５４が配置されている。また遊技盤３２の右側端部に配置されたレール飾り３８の右下隅には、証紙５６を貼り付けた証紙台５８が取り付けられており、この証紙台５８は、左方に配置されたヒンジ板６０に支持されて、盤面３２Ａに対して開閉動するようになっている。
【００２３】
なお、本実施形態のパチンコ機１０は、打球発射装置を遊技盤３２の左側下方に配置して遊技球を上方に発射する機種であり、従来機種に比べ、アウト口５４の位置を下げることにより遊技領域４０が拡大されている。
【００２４】
またパチンコ機１０の正面には、図２に示すように、ガラス枠２０の前面に、賞球表示灯や完了表示灯等の機能を有する複数の表示灯６２、６３がガラス１６を取り囲むように配列されており、左上隅近傍と右側端上部に、遊技の効果音を発生するスピーカー６４、６６が配置されている。
【００２５】
次に、本実施形態の遊技盤裏面側の構成と、主基板が取り付けられる回路アダプター（部品取付基台）の補強構造の参考例について詳細に説明する。
【００２６】
図３には、本実施形態の遊技盤裏面における基板レイアウトが示されており、図４〜図６には、遊技盤裏面に取り付けられる各部材の分解斜視図が示されている。遊技盤３２の裏面３２Ｂには、従来と同じく、中央に略方形のセット板７０が設けられ、セット板７０の下部側に、回路アダプター７２を介して主基板７４が取り付けられている。セット板７０の略中央には、特別図柄表示装置４２の画面に表示する図柄等の画像を表示制御する図柄制御基板７６が配置されており、右側部近傍には、表示灯６２、６３等に備えられたランプやＬＥＤ等を点灯／点滅制御するランプ制御基板７８が取り付けられている。また左側部近傍には、ランプ中継基板８０が取り付けられており、さらに遊技盤裏面３２Ｂの右上隅に位置して、盤用外部端子板８２が取り付けられている。
【００２７】
主基板７４は、図４に示すように、基板本体８４と、基板本体８４の表裏面を覆う透明樹脂製の表ケース８６及び裏ケース８８とで構成されている。基板本体８４は、上端部に、図柄制御基板７６やランプ制御基板７８等とケーブルで接続される複数のコネクター８９が搭載されており（図３参照）、左右の側端縁に、フック９０が各２個づつ設けられている。この各フック９０を、裏ケース８８の左右側端部に設けられた溝部９２にそれぞれ嵌め入れることで、裏ケース８８と仮固定される。
【００２８】
さらに、５本のネジ９４を裏側から裏ケース８８の貫通孔９６及び基板本体８４の貫通孔９８にそれぞれ挿通させて、表ケース８６の円筒ボス１００にねじ込み、４本の固定ネジ１０２を表側から表ケース８６の下端部に設けられた固定ブロック１０４に挿通し、裏ケース８８の固定ブロック１０６にねじ込んで固定することにより、表ケース８６が裏ケース８８及び基板本体８４に組み付けられる。
【００２９】
また、固定ブロック１０４、１０６の間にはスペーサー１０８、１１０が挟み込まれ、固定ブロック１０４の開口部は、ネジキャップ１１２が嵌め込まれて塞がれるようになっている。このスペーサー１０８、１１０を組み込んだ固定ブロック１０４、１０６と、固定ネジ１０２との組み合わせによって、固定ネジ１０２を一度ねじ込むと、緩める方向に回転させても締結状態が解除できない機構が構成され、これによって、不正に行われる主基板７４のＰＯＭ交換等を防止できるようになっている。また裏ケース８８には、主基板７４の取付部となる窓部１１４、１１５が形成されており、窓部１１４、１１５の左側に、平板状の係合部１１６、１１７が設けられている。さらにケース裏面には、窓部１１４の下方位置にガイド突起１１８が設けられ、右下隅近傍に係合突起１２０が設けられている。
【００３０】
また、セット板７０の右上隅部に配置される盤用外部端子板８２は、下端側に設けられた取付孔１４０がセット板７０のボス１４２にネジ止めされ、上端側の取付孔１４４が遊技盤３２の裏面３２Ｂに直接ネジ止めされて取り付けられる。
【００３１】
さらに、ランプ制御基板７８と、図５では図示を省略した図柄制御基板７６及びランプ中継基板８０は、透明樹脂製のケース１４６で覆われるようになっている。このケース１４６は、右側端部に突設されたフック１４８をセット板７０の窓部１５０に係合させ、左側端部近傍に穿設された取付孔１５２がナイロンリベット１５４でセット板７０のボス１５６に固定されることにより、セット板７０に取り付けられる。また、固定にナイロンリベット１５４を用いていることで、セット板７０に容易に着脱できるようになっている。
【００３２】
主基板７４が取り付けられる回路アダプター７２は、透明樹脂材料によって上面及び取付面側が開放された略箱状に形成されており、底面７２Ａ左側に矩形の開口部１５８が形成され、脚部１６０の左右側端部に、位置決め孔１６２が２個穿設されている（図３参照）。またセット板７０には、各位置決め孔１６２と対応する位置決めピン１６４が２個設けられている。
【００３３】
これにより、回路アダプター７２は、各位置決め孔１６２が各位置決めピン１６４に嵌挿されることでセット板７０との相対位置が合わせられ、その状態で、脚部１６０に形成された複数の取付孔１６６がネジ止めされることにより、遊技盤３２の裏面３２Ｂに取り付けられる。また、この取付状態では、回路アダプター７２の内面７２Ｃ側に空間が形成される。この空間は、遊技盤面３２Ａの入賞口４８に入賞して裏面３２Ｂへと導かれた入賞球が通過する、入賞球排出用の通路となっている。
【００３４】
回路アダプター７２の内面７２Ｃには、電源中継基板３００とカバー３０２が４本のネジ３０４で取り付けられるようになっており、図７に、その取付状態が示されている。
【００３５】
図示のように、電源中継基板３００は、下端部左側に突出部３０６が設けられた略矩形状とされ、四隅近傍に、ネジ３０４が挿通される取付孔３０８Ａ、３０８Ｂ、３０８Ｃ、３０８Ｄが形成されている。また、回路アダプター７２への取付面側となる表面３００Ａには、突出部３０６領域に、パチンコ機本体側の電源ブロックとケーブルで接続されるコネクター３１０、及び、制御基板に配線で接続される中継コネクター３１２が実装されている。さらに基板の上端部近傍にも、上端縁に沿って配列された４個の中継コネクター３１４、３１６、３１８、３２０が実装されている。そしてこの電源中継基板３００は、裏面３００Ｂ側がカバー３０２で覆われるようになっている。
【００３６】
カバー３０２は、透明の樹脂材料によって略矩形の平板状に形成されており、縦方向の寸法が電源中継基板３００に揃えられ、横方向の寸法が電源中継基板３００よりも少し大きくされている。また、電源中継基板３００の裏面３００Ｂに重ね合わせられる表面３０２Ａには、縁部に周リブ３２２が設けられており、周リブ３２２の左右側端上部には、位置決め孔３２４を穿設した突出部３２６がそれぞれ設けられている。さらにカバー３０２には、電源中継基板３００に設けられた左上隅の取付孔３０８Ａ及び右下隅の取付孔３０８Ｄと対応する位置に、取付孔３０８と略同じ大きさの小孔３２８が形成されており、右上隅の取付孔３０８Ｂ及び左下隅の取付孔３０８Ｃと対応する位置に、ネジ３０４の頭部径寸法よりも少し大きくされた大孔３３０が形成されている。
【００３７】
また、回路アダプター７２の内面７２Ｃには、電源中継基板３００の取付孔３０８Ａ、３０８Ｂ、３０８Ｃ、３０８Ｄと対応して、ネジ下孔３３２が穿設された４個のボス３３４が立設されており、さらにカバー３０２の位置決め孔３２４と対応する位置決め突起３３６が設けられている。
【００３８】
これにより、電源中継基板３００とカバー３０２を回路アダプター７２に取り付けるには、まず、電源中継基板３００の表面３００Ａを回路アダプター７２の内面７２Ｃに対向させて配置し、電源中継基板３００の取付孔３０８Ｂと取付孔３０８Ｃにネジ３０４を挿通してボス３３４のネジ下孔３３２にねじ込むことにより、電源中継基板３００を取り付ける。また、この取付状態では、電源中継基板３００に設けられたコネクター３１０と中継コネクター３１２が、回路アダプター７２の底面７２Ａ左側に形成された矩形の開口部１５８に位置合わせされる。
【００３９】
次に、カバー３０２の表面３０２Ａ側を電源中継基板３００の裏面３００Ｂに重ね合わせるとともに、位置決め孔３２４を回路アダプター７２の位置決め突起３３６に嵌合させて配置する。その位置決め状態で、カバー３０２の小孔３２８にネジ３０４を挿通し、ボス３３４のネジ下孔３３２にねじ込むことにより、小孔３２８を電源中継基板３００の取付孔３０８Ａ及び取付孔３０８Ｄとともに、共締めして固定する。これにより、回路アダプター７２の内面７２Ｃに電源中継基板３００とカバー３０２が取り付けられ、電源中継基板３００は、裏面３００Ｂ側がカバー３０２に覆われて、回路アダプター７２内を通過する入賞球から保護される。
【００４０】
また、回路アダプター７２の外面７２Ｂには、左方向に向けられた略鉤形のフック１７０、１７１が設けられている。さらに外面７２Ｂの縦方向略中央には、横方向に延出されたガイド溝１７２が形成されており、外面７２Ｂの右下隅には、係合レバー１７４が設けられている。係合レバー１７４は、左側端部が外面７２Ｂに連結されて右方向に延出した片持ちの板状とされ、水平方向に弾性変形可能な板厚寸法とされている。また開放端（先端）が操作部１７６とされ、略中央部に係合溝１７８が形成されている。
【００４１】
さらに、回路アダプター７２の外面７２Ｂ左側端部には、平板状のストッパー１８０が配置されて、３個の取付孔１８２がネジ１８４により回路アダプター７２のネジ下孔１８６にネジ止めされるようになっている。ストッパー１８０は、樹脂材料によって弾性変形可能な板厚寸法に形成されており、表面の左端部にＬ字型の突起部１８８が設けられ、突起部１８８の上方に操作部１９０が設けられている。
【００４２】
これにより、主基板７４を回路アダプター７２に取り付けるには、主基板７４側のガイド突起１１８を回路アダプター７２側のガイド溝１７２に嵌め入れるとともに、窓部１１４、１１５をフック１７０、１７１に位置合わせして挿入し、その位置から主基板７４を右方向にスライドさせて係合部１１６、１１７をフック１７０、１７１に係合させるようにする。ここで、主基板７４が位置規制されるまでスライドされると、主基板７４側の係合突起１２０が係合レバー１７４の係合溝１７８に係合するとともに、ストッパー１８０の突起部１８８が主基板７４の左端部に係止して主基板７４をロックする。これによって、主基板７４が回路アダプター７２の外面７２Ｂに固定される。
【００４３】
また、主基板７４を取り外すときは、係合レバー１７４の操作部１７６とストッパー１８０の操作部１９０を同時に押圧操作する（図中の矢印Ａ、Ｂ方向）。すると、係合レバー１７４及びストッパー１８０が弾性変形して主基板７４のロックを解除し、そのまま主基板７４を左方向にスライドさせることにより、主基板７４を回路アダプター７２から簡単に取り外すことができる。
【００４４】
ランプ制御基板７８は、図８に示すように、基板本体１２２と、基板本体１２２に４本のネジ１２３で組み付けられて基板本体１２２を覆う透明樹脂製のケース１２４及び蓋１２５とで構成されている。またランプ制御基板７８をセット板７０に取り付けるための本参考例に係る取付ベース１２６は樹脂製とされ、図９に示すように、上下端部に形成された取付部１２７裏面の凹部１２９がセット板７０のボス１３０に嵌め入れられ、取付部１２７の取付孔１２８がボス１３０のネジ下孔１３１にネジ１３３によって固定されるようになっている。
【００４５】
そしてランプ制御基板７８は、この取付ベース１２６の凹部１３２に、ケース１２４上端面の爪部１３５を凹部１３２上壁面の開口部１３７に係合させながら、セット板７０に対して略垂直な向きに嵌め込まれ、凹部１３２の底面に突き当たるまで嵌め入れられると、取付ベース１２６に設けられた弾性変形可能な腕部１３４が、先端の爪部１３６をケース１２４外面の窓部１３８に係止させてロックする。これにより、図１０に示すように、ランプ制御基板７８が取付ベース１２６を介してセット板７０に固定される。
【００４６】
またランプ制御基板７８を取り外すには、腕部１３４の先端に設けられた操作部１３９に指を掛けて腕部１３４を外方（図８の矢印Ｃ方向）へと撓ませることにより、爪部１３６が窓部１３８から離脱するため、そのままランプ制御基板７８を掴んで取付ベース１２６から引き抜くことにより、容易に取り外すことができる。
【００４７】
図１１〜図１３には、遊技盤３２の裏面３２Ｂに取り付けられたランプ制御基板７８と、回路アダプター７２及び主基板７４の位置関係が示されている。図１１のように平面視では、回路アダプター７２の右上角部７２Ｄがランプ制御基板７８（ケース１２４）の左下角部１２４Ａに部分的に重なる配置とされ、且つ、図１３のように側面視では、回路アダプター７２の内面７２Ｃ縁部に形成された周リブ７２Ｅがケース１２４上面に当接している。
【００４８】
これにより、主基板７４のコネクター８９にケーブルを接続する作業では、コネクター８９に掛かる挿入力（図１３の矢印Ｆ）が回路アダプター７２の上部に加わることになるが、回路アダプター７２は、内面７２Ｃ側がランプ制御基板７８に支えられ補強されているため、変形や破損が防止される。
【００４９】
以上説明したように、本参考例に係る部品取付基台の補強構造、及びそれを備えたパチンコ機１０では、遊技盤裏面の限られたスペースに取り付けられることにより、単体では剛性が確保できない回路アダプター７２において、押圧力に対しての補強がなされるため、変形等が防がれる。
【００５０】
また図１４及び図１５には、本実施形態に係る部品取付基台の補強構造が示されている。本実施形態は、ランプ制御基板７８の着脱作業性を改善するために取付ベースの固定構造を変更したものである。
【００５１】
図示のように、ここでの取付ベース３４０は、下端部の取付部３４２に、横方向に延びる凹部３４４と長孔３４６が形成されている。また、凹部３４４が嵌め入れられるセット板７０側のボス１３０は１個とされ、凹部３４４の幅寸法Ｗは、ボス１３０の径寸法よりも少し大きくされている。
【００５２】
これにより、図１５に示すように、取付ベース３４０を固定する２本のネジ１３３を緩めることで、取付ベース３４０が、上部側の取付部１２７（取付孔１２８）を中心に遊技盤３２の裏面３２Ｂに沿って図中矢印Ｄ方向に回動（スライド）できるようになり、ランプ制御基板７８は、回路アダプター７２の周リブ７２Ｅに当接した位置から離脱できるようになる。したがって、遊技盤３２から回路アダプター７２を取り外さなくとも、ランプ制御基板７８のみが容易に着脱できるようになり、着脱作業性が良好になる。
【００５３】
また、この構成では、ランプ制御基板７８を回路アダプター７２に当接した位置と離脱した位置との間でスライドさせるときは、取付ベース３４０を遊技盤３２の裏面３２Ｂに沿わせて回動させだけでよく、さらにそのときは、長孔３４６に係合したネジ１３３によってガイドされる。そのため、操作性が良好である。また、上記の当接位置では、ネジ１３３により取付ベース３４０を固定することで、ランプ制御基板７８が確実に固定される。このように、ランプ制御基板７８をスライド可能とするスライド手段を、ランプ制御基板７８が着脱可能に取り付けられる取付ベース３４０と、その取付ベース３４０をガイドし、且つ、固定及び固定解除するネジ１３３とで構成することにより、簡単な構造とすることができている。
【００５４】
なお、本実施形態では、回路アダプター７２の周リブ７２Ｅがランプ制御基板７８に完全に当接する構造とされているが、それらの間に隙間を持たせた略当接した状態であっても、同様の効果が得られる。またその隙間によって、ランプ制御基板７８をスライドさせるときに生じる摩擦負荷を低減させることができる。また、回路アダプター７２を支える部品はランプ制御基板７８以外でもよく、さらにランプ制御基板７８をスライドさせるスライド手段についても、上述したような回動構造以外の機構を採用することができる。
【００５５】
【発明の効果】
本発明の部品取付基台の補強構造、及びそれを備えた遊技機は上記構成としたので、遊技盤裏面の限られた領域に取り付けられる部品取付基台が押圧力によって変形することを防止できる。
【図面の簡単な説明】
【図１】  本発明の一実施形態に係るパチンコ機を示した斜視図である。
【図２】  本発明の一実施形態に係るパチンコ機を示した正面図である。
【図３】  本発明の一実施形態に係る遊技盤の裏面側を拡大した平面図である。
【図４】  本発明の一実施形態に係る主基板の分解斜視図である。
【図５】  本発明の参考例に係る遊技盤裏面側主要部品の分解斜視図である。
【図６】  図５の回路アダプター部分を拡大した分解斜視図である。
【図７】  本発明の一実施形態に係る回路アダプターに電源中継基板とカバーが取り付けられた状態の（Ａ）が拡大平面図、（Ｂ）が（Ａ）の７Ｂ−７Ｂ線断面図である。
【図８】  本発明の参考例に係るランプ制御基板部分を拡大した分解斜視図である。
【図９】  本発明の参考例に係るランプ制御基板の取付手順を示した側面図である。
【図１０】  本発明の参考例に係るランプ制御基板の取付状態を示した（Ａ）が平面図、（Ｂ）が側面図である。
【図１１】  本発明の参考例に係る回路アダプターとランプ制御基板の位置関係を示した平面図である。
【図１２】  本発明の参考例に係る回路アダプター及び主基板とランプ制御基板の位置関係を示した平面図である。
【図１３】  図１２の側面図である。
【図１４】  本発明の一実施形態に係るランプ制御基板が取付けられる取付ベースを示した平面図である。
【図１５】  図１４の取付ベースによるランプ制御基板のスライド動作を示した平面図である。
【図１６】  従来の遊技盤における裏面側の平面図である。
【図１７】  従来の遊技盤裏面に取り付けられる回路アダプター・ユニットの分解斜視図である。
【符号の説明】
１０        パチンコ機（遊技機）
３２        遊技盤
３２Ｂ      裏面
７２        回路アダプター（部品取付基台）
７２Ｂ      外面
７２Ｃ      内面
７２Ｄ      右上角部（上隅部）
７２Ｅ      周リブ（内面）
７４        主基板（部品）
７８        ランプ制御基板
１２４ ケース（基板ケース）
１３３        ネジ（スライド手段／固定部材）
３４０        取付ベース（スライド手段／取付部材）
３４６        長孔（スライド手段／ガイド部）
【図１】
0003764099.tif 000002
【図２】
0003764099.tif 000003
【図３】
0003764099.tif 000004
【図４】
0003764099.tif 000005
【図５】
0003764099.tif 000006
【図６】
0003764099.tif 000007
【図７】
0003764099.tif 000008
【図８】
0003764099.tif 000009
【図９】
0003764099.tif 000010
【図１０】
0003764099.tif 000011
【図１１】
0003764099.tif 000012
【図１２】
0003764099.tif 000013
【図１３】
0003764099.tif 000014
【図１４】
0003764099.tif 000015
【図１５】
0003764099.tif 000016
【図１６】
0003764099.tif 000017
【図１７】
0003764099.tif 000018